(57)【要約】      （修正有）【課題】通常時には寝具の毛布として着用することができると共に、災害時には必要に応じてポンチョや小型毛布、頭巾、マフラー、袋等に変形可能な災害用毛布を提供する。【解決手段】略矩形の第一布１１、第二布２１、第三布３１、第四布４１を、それぞれ略十字形の本体布１０の四隅に分離可能に結合した略矩形の毛布であって、本体布１０の中央部に、中心に向かって閉じるように４つのスライドファスナー５１Ａ及び５１Ｂが十字に設けられており、そのうちの少なくとも一つのスライドファスナーは本体布１０の下縁まで達したスライドファスナーであることを特徴とする毛布を提供することにより、前記課題を解決する。【選択図】図２
0003218526.tif 000002
【実用新案登録請求の範囲】
【請求項１】
略矩形の第一布（１１）、第二布（２１）、第三布（３１）、第四布（４１）を、それぞれ略十字形の本体布（１０）の四隅に分離可能に結合した略矩形の毛布であって、
前記本体布（１０）の中央部に、毛布の中心へ向かってスライダーを摺動させることにより閉じるようにした４つのスライドファスナー（５１）が十字状に設けられていることを特徴とする災害用毛布。
【請求項２】
前記本体布（１０）と、第一布（１１）、第二布（２１）、第三布（３１）、第四布（４１）とが接する２辺のそれぞれに（１０１、１０２、２０１、２０２、３０１、３０２、４０１、４０２）、スライドファスナーを構成するスライダー側ファスナー片Ｔ１又は蝶棒側ファスナー片Ｔ２のいずれかを、を備えることにより、
本体布（１０）と第一布（１１）、第二布（２１）、第三布（３１）、第四布（４１）とを分離可能に結合した請求項１に記載の災害用毛布。
【請求項３】
前記第一布（１１）が本体布（１０）の上部左側に、前記第二布（２１）が本体布（１０）の下部左側に、前記第三布（３１）が本体布（１０）の上部右側に、前記第四布（４１）が本体布（１０）の下部右側に、夫々分離可能に結合されると共に、
本体布（１０）と接する第一布（１１）の垂直方向の辺（１０１Ａ）には、蝶棒側のファスナー片が設けられ、それに対向する本体布側の辺（１０１Ｂ）にはスライダー側ファスナー片Ｔ１が設けられることにより、上縁にスライダーを摺動させることによりスライドファスナーが閉まる方向に設けられ、
第一布（１１）の水平方向の辺（１０２Ａ）には蝶棒側のファスナー片が設けられ、それに対向する本体布側の辺（１０２Ｂ）にはスライダー側ファスナー片Ｔ１が設けられることにより、毛布の内側へスライダーを摺動させることによりスライドファスナーが閉まる方向に設けられ、
第一布（１１）の垂直方向の外縁（１０３）にはスライダー側ファスナー片Ｔ１が、上縁にスライダーを摺動させることにより閉じる方向に設けられており、
本体布（１０）と接する第二布（２１）の垂直方向の辺（２０１Ａ）には、スライダー側ファスナー片Ｔ１が設けられ、それに対向する本体布側の辺（２０１Ｂ）には蝶棒側ファスナー片Ｔ２が設けられることにより、下縁にスライダーを摺動させることによりスライドファスナーが閉まる方向に設けられ、
第二布（２１）の水平方向の辺（２０２Ａ）にはスライダー側ファスナー片Ｔ１が設けられ、それに対向する本体布側の辺（２０２Ｂ）には蝶棒側のファスナー片が設けられることにより、毛布の内側へスライダーを摺動させることによりスライドファスナーが閉まる方向に設けられ、
第二布（２１）の垂直方向の外縁（２０３）には蝶棒側ファスナー片Ｔ２が、下縁にスライダーを摺動させることによりスライドファスナーが閉まる方向に設けられ、
本体布（１０）と接する第三布（３１）の垂直方向の辺（３０１Ａ）には、蝶棒側ファスナー片Ｔ２が設けられ、それに対向する本体布側の辺（３０１Ｂ）にはスライダー側ファスナー片Ｔ１が設けられることにより、毛布の内側へスライダーを摺動させることによりスライドファスナーが閉まる方向に設けられ、
第三布（３１）の水平方向の辺（３０２Ａ）にはスライダー側ファスナー片Ｔ１が設けられ、それに対向する本体布側の辺（３０２Ｂ）には蝶棒側ファスナー片Ｔ２が設けられることにより、毛布の内側へスライダーを摺動させることによりスライドファスナーが閉まる方向に設けられ、
第三布（３１）の垂直方向の外縁（３０３）には蝶棒側ファスナー片Ｔ２が、右方向にスライダーを摺動させることによりスライドファスナーが閉まる方向に設けられ、水平方向の上縁（３０４）にはスライダー側ファスナー片Ｔ１が、右方向にスライダーを摺動させることによりスライドファスナーが閉じる方向に設けられ、
本体布（１０）と接する第四布（４１）の垂直方向の辺（４０１Ａ）には、スライダー側ファスナー片Ｔ１が設けられ、それに対向する本体布側の辺（４０１Ｂ）には蝶棒側ファスナー片Ｔ２が設けられることにより、毛布の内側へスライダーを摺動させることによりスライドファスナーが閉まる方向に設けられ、
第四布（４１）の水平方向の辺（４０２Ａ）には蝶棒側ファスナー片Ｔ２が設けられ、それに対向する本体布側の辺（４０２Ｂ）にはスライダー側ファスナー片Ｔ１が設けられることにより、毛布の内側へスライダーを摺動させることによりスライドファスナーが閉まる方向に設けられ、
第四布（４１）の垂直方向の外縁（４０３）にはスライダー側ファスナー片Ｔ１が、下縁にスライダーを摺動させることによりスライドファスナーが閉まる方向に設けられ、水平方向の下縁（４０４）には蝶棒側ファスナー片Ｔ２が、右方向にスライダーを摺動させることによりスライドファスナーが閉じる方向に設けられていることを特徴とする請求項１又は請求項２に記載の災害用毛布。
【考案の詳細な説明】
【技術分野】
【０００１】
本考案は、日常において一枚の毛布として使用することも可能であると共に、畳んでカバーに入れることによりクッションとしてリビングや車内、ベッドに備え置くこともできる一方で、災害時には、ポンチョや袋、小型毛布や座布団、頭巾、マフラーなどに変形が可能となる災害用の毛布に関するものである。そして、就寝時に枕元に常に備え置いておくことで、深夜の災害時に素早く持ち出せる災害用毛布に関するものである。
【背景技術】
【０００２】
災害に備えて災害用品を備えておくことが進められているが、衣服や防寒具、寝具を備蓄する場合、嵩張ってしまい、他の備蓄品とともに保管しておくのが難しい。そこで、防寒具を衣服に転用することができれば効果的に備蓄することが可能になる。
【０００３】
これまで、特許文献１に示すように、ベンチコートとして使用したり、地震などの被災時において避難場所での防寒具や毛布代わりとして用いることのできる防寒具兼用ベンチコートが開示されている。また、特許文献２に示すように、ポンチョにも肌掛けにもなる防寒具がクッションの中に折りたたまれていることを特徴とする防寒用具が開示されている。
【先行技術文献】
【特許文献】
【０００４】
【特許文献１】特開２０１０−３７７０８
【特許文献２】特開２０１４−１５６６８３
【考案の概要】
【考案が解決しようとする課題】
【０００５】
しかしながら、特許文献１に記載のものではベンチコートを寝袋にしか転用できないし、特許文献２に記載のものではポンチョ、クッション、肌掛けにしか転用できない。そしていずれの従来技術においても、物が分離できないので、必要に応じて複数の人と分け合って使用することはできなかった。災害時には救援物資が不足するので、複数の人と分け合って使用できるならば、物資が少ない場合でも、分け合うことにより、多くの人に役立つものとなることができる。
【課題を解決するための手段】
【０００６】
そこで本考案においては、日常において一枚の毛布として使用することも可能であると共に、畳んでカバーに入れることによりクッションとしてリビングや車内に備え置くこともできる一方で、災害時には、毛布の各パーツを分離し、ポンチョや袋、スカート、寝袋、小型毛布、座布団、頭巾、マフラーなどの多様な物品に変形が可能であり、さらには各パーツを分離して使用することで、複数の人と共に使用できるようにした災害用の毛布に関するものである。
【０００７】
本考案は上記目的を達成するため、下記により課題を解決する。
【０００８】
（１）略矩形の第一布（１１）、第二布（２１）、第三布（３１）、第四布（４１）を、それぞれ略十字形の本体布（１０）の四隅に分離可能に結合した略矩形の毛布であって、
前記本体布（１０）の中央部に、毛布の中心へ向かってスライダーを摺動させることにより閉じるようにした４つのスライドファスナー（５１）が十字状に設けられていることを特徴とする災害用毛布を提供することにより、前記課題を解決する。
（２）また、前記本体布（１０）と、第一布（１１）、第二布（２１）、第三布（３１）、第四布（４１）とが接する２辺のそれぞれに（１０１、１０２、２０１、２０２、３０１、３０２、４０１、４０２）、スライドファスナーを構成するスライダー側ファスナー片Ｔ１又は蝶棒側ファスナー片Ｔ２のいずれかを、を備えることにより、
本体布（１０）と第一布（１１）、第二布（２１）、第三布（３１）、第四布（４１）とを分離可能に結合した（１）に記載の災害用毛布を提供することにより、前記課題を解決する。
（３）加えて、前記第一布（１１）が本体布（１０）の上部左側に、前記第二布（２１）が本体布（１０）の下部左側に、前記第三布（３１）が本体布（１０）の上部右側に、前記第四布（４１）が本体布（１０）の下部右側に、夫々分離可能に結合されると共に、
本体布（１０）と接する第一布（１１）の垂直方向の辺（１０１Ａ）には、蝶棒側のファスナー片が設けられ、それに対向する本体布側の辺（１０１Ｂ）にはスライダー側ファスナー片Ｔ１が設けられることにより、上縁にスライダーを摺動させることによりスライドファスナーが閉まる方向に設けられ、
第一布（１１）の水平方向の辺（１０２Ａ）には蝶棒側のファスナー片が設けられ、それに対向する本体布側の辺（１０２Ｂ）にはスライダー側ファスナー片Ｔ１が設けられることにより、毛布の内側へスライダーを摺動させることによりスライドファスナーが閉まる方向に設けられ、
第一布（１１）の垂直方向の外縁（１０３）にはスライダー側ファスナー片Ｔ１が、上縁にスライダーを摺動させることにより閉じる方向に設けられており、
本体布（１０）と接する第二布（２１）の垂直方向の辺（２０１Ａ）には、スライダー側ファスナー片Ｔ１が設けられ、それに対向する本体布側の辺（２０１Ｂ）には蝶棒側ファスナー片Ｔ２が設けられることにより、下縁にスライダーを摺動させることによりスライドファスナーが閉まる方向に設けられ、
第二布（２１）の水平方向の辺（２０２Ａ）にはスライダー側ファスナー片Ｔ１が設けられ、それに対向する本体布側の辺（２０２Ｂ）には蝶棒側のファスナー片が設けられることにより、毛布の内側へスライダーを摺動させることによりスライドファスナーが閉まる方向に設けられ、
第二布（２１）の垂直方向の外縁（２０３）には蝶棒側ファスナー片Ｔ２が、下縁にスライダーを摺動させることによりスライドファスナーが閉まる方向に設けられ、
本体布（１０）と接する第三布（３１）の垂直方向の辺（３０１Ａ）には、蝶棒側ファスナー片Ｔ２が設けられ、それに対向する本体布側の辺（３０１Ｂ）にはスライダー側ファスナー片Ｔ１が設けられることにより、毛布の内側へスライダーを摺動させることによりスライドファスナーが閉まる方向に設けられ、
第三布（３１）の水平方向の辺（３０２Ａ）にはスライダー側ファスナー片Ｔ１が設けられ、それに対向する本体布側の辺（３０２Ｂ）には蝶棒側ファスナー片Ｔ２が設けられることにより、毛布の内側へスライダーを摺動させることによりスライドファスナーが閉まる方向に設けられ、
第三布（３１）の垂直方向の外縁（３０３）には蝶棒側ファスナー片Ｔ２が、上縁方向にスライダーを摺動させることによりスライドファスナーが閉まる方向に設けられ、水平方向の上縁（３０４）にはスライダー側ファスナー片Ｔ１が、右方向にスライダーを摺動させることによりスライドファスナーが閉じる方向に設けられ、
本体布（１０）と接する第四布（４１）の垂直方向の辺（４０１Ａ）には、スライダー側ファスナー片Ｔ１が設けられ、それに対向する本体布側の辺（４０１Ｂ）には蝶棒側ファスナー片Ｔ２が設けられることにより、毛布の内側へスライダーを摺動させることによりスライドファスナーが閉まる方向に設けられ、
第四布（４１）の水平方向の辺（４０２Ａ）には蝶棒側ファスナー片Ｔ２が設けられ、それに対向する本体布側の辺（４０２Ｂ）にはスライダー側ファスナー片Ｔ１が設けられることにより、毛布の内側へスライダーを摺動させることによりスライドファスナーが閉まる方向に設けられ、
第四布（４１）の垂直方向の外縁（４０３）にはスライダー側ファスナー片Ｔ１が、下縁にスライダーを摺動させることによりスライドファスナーが閉まる方向に設けられ、水平方向の下縁（４０４）には蝶棒側ファスナー片Ｔ２が、右方向にスライダーを摺動させることによりスライドファスナーが閉じる方向に設けられていることを特徴とする（１）又は（２）に記載の災害用毛布を提供することにより、前記課題を解決する。
【考案の効果】
【０００９】
本考案に係る毛布によれば、一枚の毛布の各パーツを分離・結合することで、ポンチョや袋、スカート、寝袋、小型毛布、座布団、頭巾、マフラーなどの多様な物品に変形が可能である。さらには各パーツを分離して使用することで、複数の人と共に使用できるようにした災害用の毛布に関するものである。また、本考案にかかる毛布を就寝時に枕元に常に備え置いておくことで、深夜の災害時に素早く持ち出せる。
【００１０】
特に、本体布と、第一布、第二布、第三布、第四布とが接する２辺のそれぞれに、スライドファスナーを設けることによって、容易に分離可能とし、適宜、対応するスライドファスナー片を結合させることで、各種物品へと変形を容易に行える。
【図面の簡単な説明】
【００１１】
【図１】本考案に係る毛布の構成と、設けられるスライドファスナーの位置を示す図である。
【図２】本考案に係る毛布の各パーツに設けられるスライドファスナーの方向を示す図である。
【図３】ファスナー片を毛布に取りつける場合の断面図である。
【図４】スカートとポンチョと連結して使用する場合の図であり、特に（Ａ）は本考案に係る本体布をポンチョに変形して使用する場合の図であって、（Ｂ）は小毛布をスカートに変形した場合の図である。
【図５】本考案に係る第一布、第二布、第三布、第四布を結合して小毛布に変形する場合のスライドファスナーの位置と方向を示す図である。
【図６】小毛布を分割してマフラーにした場合の図である。
【図７】マフラーを頭巾にした場合の図である。
【考案を実施するための形態】
【００１２】
以下、図面に基づいて本考案の災害用毛布を詳しく説明する。先ず、図１は本考案に係る毛布の構成と、スライドファスナーの位置を示す図である。図１から明らかなように、本考案に係る毛布は、本体布１０と、４つのパーツである略矩形の第一布１１、第二布２１、第三布３１、第四布４１を基本構成とする。本体布１０の四隅に、略矩形の第一布１１、第二布２１、第三布３１、第四布４１がスライドファスナー５１を介して分離可能に結合している。これらのスライドファスナー５１はオープンファスナーであり、本体布１０と第一布１１、第二布２１、第三布３１、第四布４１の各パーツが分離可能となるように構成されている。毛布の素材としては従来から毛布として用いられている素材のウール、綿などの天然繊維でもポリエステル等の合成繊維でも構わない。季節に応じた素材で構成されることによって、災害が生じた季節に適合する毛布を使用できる。
【００１３】
第一布１１、第二布２１、第三布３１、第四布４１は変形を可能にするため、略同一の大きさであることが好ましい。また各パーツの位置であるが、例えば、前記第一布１１が本体布１０の上部左側に、前記第二布２１が本体布１０の下部左側に、前記第三布３１が本体布１０の上部右側に、前記第四布４１が本体布１０の下部右側に、夫々分離可能に結合される。なお、各パーツの辺に設けられるスライドファスナーの種類や方向によって、対応する辺に設けられるスライドファスナー片は異なり、また、変形後に結合するファスナー片との組み合わせを考慮して、それぞれの辺に設けるスライドファスナーの位置と方向を決定する必要がある。対応するスライドファスナーは種類とサイズを同一にすることが、ファスナーのスムーズな開閉を可能にするため、重要である。なお、実施例１でファスナー片の種類と方向の一例を詳しく説明することとする。
【００１４】
本体布１０の略中央部に、毛布の中心へ向かってスライダーを摺動させることにより閉じるようにした４つのスライドファスナー５１Ａ及び５１Ｂが十字状に設けられている。このファスナーを開くことにより、ポンチョとして変形した際に、頭を出し、コートの如く前をファスナーで閉じて着用することができる。スライドファスナー５１Ａは止め具を有するスライドファスナーであり、頭を出せる程度の開放が可能となるよう毛布の途中までファスナーが設けられている。一方、スライドファスナー５１Ｂはオープンファスナーでも留め具を有するファスナーでも良いが、スライドファスナー５１Ｂをオープンファスナーで構成することで、ポンチョとして着用した場合に前身頃を開放することができる。
【００１５】
次に、図２は本考案に係る毛布の各パーツに設けられるスライドファスナー片の種類と方向を示す図である。図２及び図３に示すように、スライドファスナー５１は、左右一対のスライダー側ファスナー片Ｔ１と、蝶棒側ファスナー片Ｔ２と、それらにそれぞれ取り付けられるファスナーエレメントＥが集合したファスナーエレメント列と、左右のファスナーエレメント列を噛合・分離させるスライダーＳと、を備える。そして、蝶棒Ｃをスライダー側Ｓの箱体Ｈに挿入し、スライダーＳをファスナーテープＴに沿って移動させることにより、分離状態の左右のファスナーエレメント列が噛合されたり、また分離されるようにすることができる。なお、図中の矢印の方向に沿ってスライダーＳを移動させると、分離状態の左右のファスナーエレメント列が噛合されることを図示している。つまり点線の矢印は蝶棒側ファスナー片Ｔ２が閉まる方向、直線の矢印はスライダー側ファスナー片Ｔ１が閉まる方向を示している。矢印の始点には蝶棒Ｃあるいは箱体Ｈがあって、そこからスライダーＳを移動させて、矢印の終点へ向かってスライドファスナーを閉めていく。なお、スライドファスナー５１は従来から用いられているものを使用することができる。また、全体の重量が重くならないように、プラスチックなどの軽い素材のスライドファスナーを用いることができる。そして、本体布と第一布１１、第二布２１、第三布３１、第四布４１の周縁に設けられるスライドファスナーはオープンスライドファスナーであって、本体布と各パーツを完全に分離可能にするものである。
【００１６】
スライドファスナーを毛布と結合する方法について説明する。図１に示すように、スライドファスナー５１のファスナー片はパイピング布により、パイピングされている。図３はファスナー片（Ｔ１、Ｔ２）を毛布に取りつける場合の断面図である。ファスナー片は、ファスナーテープＴにファスナーエレメントＥが設けられているが、そのファスナーテープＴに、毛布Ｍを挟み込めるようにテープ状のパイピング布Ｐが設けられていることが好ましい。これにより、毛布Ｍの端を覆い、縁取ることによって、毛布Ｍの切れ目をパイピングし、毛布の両面を使用することも可能になる。また、本体布１０と第一布１１、第二布２１、第三布３１、第四布４１とを結合する際の角部、及び本体布１０の中央部におけるスライドファスナー５１Ａと５１Ｂが突き合う角部においても、パイピング布を本体布の角部に縫い付けることによって、毛布の解れを防ぐことを可能にする。なお、スライドファスナーの取り付けは適宜従来の方法で行うことができる。無論、毛布の素材や毛布の切断方法によってはパイピングが不要となるため、本考案においてパイピングは必須の要件ではなく、毛布に直接ファスナー片を縫い付けることも可能である。
【００１７】
本体布及び第一布１１、第二布２１、第三布３１、第四布４１の周縁に設けられるスライドファスナー５１はオープンファスナーであり、開放可能である。そのため、同じ方向性を持つと共に同じ種類、同じ長さであれば、スライダー側ファスナー片Ｔ１と、蝶棒側ファスナー片Ｔ２で対応し結合できるため、各種用途に変形を可能にする。
【００１８】
前記本体布１０と、第一布１１、第二布２１、第三布３１、第四布４１とが接する２辺のそれぞれに（１０１Ａ、１０１Ｂ、１０２Ａ、１０２Ｂ、２０１Ａ，２０１Ｂ、２０２Ａ、２０２Ｂ、３０１Ａ、３０１Ｂ、３０２Ａ、３０２Ｂ、４０１Ａ、４０１Ｂ、４０２Ａ，４０２Ｂ）、スライドファスナーを構成するスライダー側ファスナー片Ｔ１又は蝶棒側ファスナー片Ｔ２のいずれかを、を備えている。これにより、前記本体布１０と、第一布１１、第二布２１、第三布３１、第四布４１とを分離可能に結合することができる。
【００１９】
また、外縁を構成する第一布１１、第二布２１、第三布３１、第四布４１の垂直方向の長辺（１０３、２０３、３０３、４０３）にもスライダー側ファスナー片Ｔ１又は蝶棒側ファスナー片Ｔ２のいずれかを備えていることが好ましい。これにより、各パーツを結合して袋にしたり、スカートとしたり、別の用途に用いることが可能になる。
【００２０】
また、第一布１１、第二布２１、第三布３１、第四布４１のうちのいずれか２枚の水平方向の短辺にもスライダー側ファスナー片Ｔ１又は蝶棒側ファスナー片Ｔ２のいずれかを備えていることが好ましい。例えば第三布３１の水平方向の短辺３０４、第四布４１の水平方向の短辺４０４に設けることができる。これにより、各パーツを結合して小毛布などの別の用途に用いることが可能になる。
【００２１】
以上が基本的な本考案に係る毛布の構成である。本考案は各種用途に変形することを可能にするためには、スライドファスナーの種類や方向が対応するものを各所に配置しなくてはならない。そこで、以下は具体的にスライドファスナー５１を設ける種類及び方向と、それによって変形が可能となる用途について説明する。
【実施例１】
【００２２】
まず、本考案に係る毛布に設けるスライドファスナー５１を設ける種類及び方向についえ、図２を用いて説明する。なお、このスライドファスナーの方向は一例であって、結合する場所のファスナー片を対応するものにすれば、変形を可能にするため、この方向に限ったものではない。まず、第一布１１に関し、本体布１０と接する垂直方向の辺１０１Ａには、蝶棒側ファスナー片Ｔ２が設けられ、それに対向する本体布側の辺１０１Ｂにはスライダー側ファスナー片Ｔ１が設けられることにより、上縁にスライダーを摺動させることによりスライドファスナーが閉まる方向に設けられている。また、第一布１１の水平方向の辺１０２Ａには蝶棒側ファスナー片Ｔ２が設けられ、それに対向する本体布側の辺１０２Ｂにはスライダー側ファスナー片Ｔ１が設けられることにより、毛布の内側へスライダーを摺動させることによりスライドファスナーが閉まる方向に設けられている。そして、第一布１１の垂直方向の外縁１０３にはスライダー側ファスナー片Ｔ１が、上縁にスライダーを摺動させることにより閉じる方向に設けられている。
【００２３】
第二布２１に関し、本体布１０と接する第二布２１の垂直方向の辺２０１Ａには、スライダー側ファスナー片Ｔ１が設けられ、それに対向する本体布側の辺２０１Ｂには蝶棒側ファスナー片Ｔ２が設けられることにより、下縁にスライダーを摺動させることによりスライドファスナーが閉まる方向に設けられている。また、第二布２１の水平方向の辺２０２Ａにはスライダー側ファスナー片Ｔ１が設けられ、それに対向する本体布側の辺２０２Ｂには蝶棒側ファスナー片Ｔ２が設けられることにより、毛布の内側へスライダーを摺動させることによりスライドファスナーが閉まる方向に設けられている。そして、第二布２１の垂直方向の外縁２０３には蝶棒側ファスナー片Ｔ２が、下縁にスライダーを摺動させることによりスライドファスナーが閉まる方向に設けられている。
【００２４】
第三布３１に関し、本体布１０と接する第三布３１の垂直方向の辺３０１Ａには、蝶棒側ファスナー片Ｔ２が設けられ、それに対向する本体布側の辺３０１Ｂにはスライダー側ファスナー片Ｔ１が設けられることにより、毛布の内側へスライダーを摺動させることによりスライドファスナーが閉まる方向に設けられている。また、第三布３１の水平方向の辺３０２Ａにはスライダー側ファスナー片Ｔ１が設けられ、それに対向する本体布側の辺３０２Ｂには蝶棒側ファスナー片Ｔ２が設けられることにより、毛布の内側へスライダーを摺動させることによりスライドファスナーが閉まる方向に設けられている。そして、第三布３１の垂直方向の外縁３０３には蝶棒側ファスナー片Ｔ２が、上縁方向にスライダーを摺動させることによりスライドファスナーが閉まる方向に設けられている。さらに水平方向の上縁３０４にはスライダー側ファスナー片Ｔ１が、右方向にスライダーを摺動させることによりスライドファスナーが閉じる方向に設けられている。
【００２５】
第四布４１に関し、本体布１０と接する第四布４１の垂直方向の辺４０１Ａには、スライダー側ファスナー片Ｔ１が設けられ、それに対向する本体布側の辺４０１Ｂには蝶棒側ファスナー片Ｔ２が設けられることにより、毛布の内側へスライダーを摺動させることによりスライドファスナーが閉まる方向に設けられている。また、第四布４１の水平方向の辺４０２Ａには蝶棒側ファスナー片Ｔ２が設けられ、それに対向する本体布側の辺４０２Ｂにはスライダー側ファスナー片Ｔ１が設けられることにより、毛布の内側へスライダーを摺動させることによりスライドファスナーが閉まる方向に設けられている。そして、第四布４１の垂直方向の外縁４０３にはスライダー側ファスナー片Ｔ１が、下縁にスライダーを摺動させることによりスライドファスナーが閉まる方向に設けられている。そして、水平方向の下縁４０４には蝶棒側ファスナー片Ｔ２が、右方向にスライダーを摺動させることによりスライドファスナーが閉じる方向に設けられている。
【００２６】
なお、上述したスライドファスナー片はスライダー側ファスナー片Ｔ１と蝶棒側ファスナー片Ｔ２がすべて逆となるように組み合わせても可能であるし、スライドファスナーが閉まる方向がすべて逆となるように配置しても良い。
【００２７】
本考案に係る毛布は各パーツを分離して、色々な用途に変形することができる。例えば、図２に示す毛布のスライドファスナー５１をすべて開放して、本体布１０と、第一布１１、第二布２１、第三布３１、第四布４１とをすべて分離し、本体布１０を図４に示すようなポンチョ７１に変形する場合を説明する。まず、本体布１０の長手方向の真ん中で表面が外側に来るように折り畳み、辺１０１Ｂと２０１Ｂ、辺３０１Ｂと４０１Ｂ、１０２Ｂと２０２Ｂ、３０２Ｂと４０２Ｂにそれぞれ設けられているスライダー側ファスナー片Ｔ１あるいは蝶棒側ファスナー片Ｔ２を結合する。１０２Ｂと２０２Ｂ、３０２Ｂと４０２Ｂのスライドファスナーがそれぞれ結合することによって袖を構成し、辺１０１Ｂと２０１Ｂ、辺３０１Ｂと４０１Ｂのスライドファスナーがそれぞれ結合することによって身頃を構成するので、図４（Ａ）に示すようなポンチョが構成される。中央に設けられているスライドファスナー５１Ａを開放すると、そこから頭を出すことができ、スライドファスナー５１Ｂを開放すると、コートのように着ることができる。なお、ポンチョへの変形を分かりやすくするために、結合するスライドファスナーの対応するファスナー片のそれぞれに同じ印を付することによって、スムーズな変形を可能にすることも可能である。また、ポンチョとして着用した際に使いやすいように、スライドファスナー５１Ｂの近傍にポケットなどを設けることも可能である。官公庁などの備蓄品として本考案品を使用する場合に目印となるよう、ポケット部分に名札やキャラクターなどの目印を付して、回収作業を円滑に行えるようにすることも可能である。
【００２８】
次に実施例１に係る毛布の各パーツを分離して、小毛布７２として使用する場合について図５を用いて説明する。まず、スライドファスナー５１を開放して、本体布１０と、第一布１１、第二布２１、第三布３１、第四布４１とをすべて分離する。その後、図５に示すように、第一布１１の下に第二布２１、第一布１１の右に第四布４１、第四布４１の下に第三布４１を配置すると、第一布の辺１０１Ａに設けられている蝶棒側ファスナー片Ｔ２と第四布４１の辺４０１Ａに設けられているスライダー側ファスナー片Ｔ１が結合し、また、第一布の辺１０２Ａに設けられている蝶棒側ファスナー片Ｔ２と第二布２１の辺２０２Ａに設けられているスライダー側ファスナー片Ｔ１が結合し、そして、第四布４１の辺４０４に設けられている蝶棒側ファスナー片Ｔ２と、第三布３１の辺３０４に設けられているスライダー側ファスナー片Ｔ１が結合し、さらに、第二布２１の辺２０１Ａに設けられているスライダー側ファスナー片Ｔ１と、第三布３１の辺３０１Ａに設けられている蝶棒側ファスナー片Ｔ２が結合することによって、小毛布７２を構成することができる。
【００２９】
この小毛布７２をそのままひざ掛けや毛布、カバー等として使用することもできるし、折りたためば、座布団としても使用できる。
【００３０】
また、上記小毛布７２は各種用途に変形できる。例えば、辺１０３に設けられているスライダー側ファスナー片Ｔ１と、辺２０３に設けられている蝶棒側ファスナー片Ｔ２を結合し、また、辺４０３に設けられているスライダー側ファスナー片Ｔ１と、辺３０３に設けられている蝶棒側ファスナー片Ｔ２を結合すると、袋を構成することができる。足を挿入するなどして温めることも可能となる。また、その状態で、図４（Ｂ）に示すように、辺１０２Ａ、２０２Ａ及び辺３０４、４０４に設けられているスライドファスナーを開放すると筒状となる。そのため、例えば第一布１１と第四布４１の上部、第二布２１と第三布３１の下部にベルト通し６２を設けておくことにより、紐６３を通してウエストで縛ることによって、スカートとして使用することも可能である。また、本体布の上部と下部にも図２に示すように、ベルト通し６２を設けておくならば、図４に示すように、スカート状にした小毛布７２と前述したポンチョ７１とを紐６３でベルト通し６２に交互に通すことによってワンピースや寝袋のような使用が可能になる。また袖に腕を通さないで使用すれば、着替え時に目隠しとなるような利用も可能になる。さらに、袋状のままで、折りたたんで使用することで、座布団として使用することも可能である。
【００３１】
さらに、図６に示すように、小毛布７２を縦方向に分割し、第一布１１と第二布２１、あるいは第三布３１と第四布４１の縦長の２枚の布にすることにより、それぞれをマフラーとして使用することもできる。また、辺１０１Ａと２０１Ａに設けられているスライドファスナーを途中まで閉めて図７に示すように防寒頭巾として使用することも可能である。第三布３１と第四布４１についても、辺３０１Ａと４０１Ａに設けられているスライドファスナーを途中まで閉めて防寒頭巾として用いることも可能である。
【００３２】
上述したスライドファスナー片に関し、スライダー側ファスナー片Ｔ１と、蝶棒側ファスナー片Ｔ２をすべて反対にして取り付けたとしても、またスライドファスナーが閉まる方向をすべて逆にしたとしても、変形を可能にする。  
【００３３】
図１に示すように、一枚の毛布として使用する際には、毛布の首元の近くにホイッスルやライトなどを入れておくポケット６１を設けることが好ましい。就寝時に災害に遭った場合に、直ちにホイッスルやライトを取り出すことを可能にするためである。なお、ポケットの位置はこれに限定されるものではなく、後述するカバーにもポケットを付することができる。
【００３４】
また、図示しないが、本毛布を畳んでカバーに入れておくことも可能である。カバーにファッション性の高いファブリックを使用すれば、クッションとしてリビング等に置いて普段から使用することもできる。また、当該カバーを枕カバーとして寝具に用いることもできる。さらに、カバーをビニール製にすれば、たとえ水害に遭ったとしても、中身の毛布が濡れることなく使用することもできる。また、そのカバーにも紐を通してリュックに変形することも可能のように構成しておくなら、災害時に背負うことによって本考案にかかる災害用毛布を容易に持ち出せる。さらに、避難所等において中身の毛布を使用している場合でも、カバーをリュックなどにして身辺の小物の持ち運びに使用することができる。また、当該リュックの紐を前述したスカートの紐６３やポンチョ７１とスカート７２を連結する紐６３に用いることも可能である。また、そのカバーに毛布の変形方法などをプリントしておくなどすれば、災害時にスムーズな利用が可能になる。
【符号の説明】
【００３５】
１０  本体布
１１  第一布
２１  第二布
３１  第三布
４１  第四布
５１  スライドファスナー
１０１Ａ，２０１Ａ，３０１Ａ，４０１Ａ  第一布乃至第四布側の垂直方向の辺
１０１Ｂ，２０１Ｂ，３０１Ｂ，４０１Ｂ  本体布側の垂直方向の辺
１０２Ａ，２０２Ａ，３０２Ａ，４０２Ａ  第一布乃至第四布側の水平方向の辺
１０２Ｂ，２０２Ｂ，３０２Ｂ，４０２Ｂ  本体布側の水平方向の辺
１０３，２０３，３０３，４０３  第一布乃至第四布の外側の垂直方向の辺
３０４，４０４  第一布乃至第四布の外側の水平方向の辺
【図１】
0003218526.tif 000003
【図２】
0003218526.tif 000004
【図３】
0003218526.tif 000005
【図４】
0003218526.tif 000006
【図５】
0003218526.tif 000007
【図６】
0003218526.tif 000008
【図７】
0003218526.tif 000009